(57)【要約】【課題】ポインタが選択領域に重ねられた状態で所定時間保持された際に選択領域が選択されるような操作（ロールオーバー操作）が行われる場合に、ユーザの意図に反して新たな選択領域が選択されるのを防止することが可能な入力装置を提供する。【解決手段】この入力装置１００は、リモートコントローラ１と、ポインタ８が重ねられた状態で１秒間保持された際に選択される第１選択領域３ｃを有する第１選択画面３と、第１選択領域３ｃが選択された場合に切り替えられるとともに、ポインタ８が重ねられた状態で１秒間保持された際に選択される第２選択領域４ｂを有する第２選択画面４とを表示可能な表示画面部２５と、第１選択領域３ｃが選択されて第２選択画面４に切り替えられる際に、ポインタ８が第２選択領域４ｂに重ならないようにポインタ８の表示位置をＺ１方向に移動させて表示するように制御する制御部２１とを備える。【選択図】図４
2010204870.tif 000002
【特許請求の範囲】
【請求項１】
ポインタを移動可能に操作するための操作部と、
前記ポインタと、前記ポインタが重ねられた状態で所定時間保持された際に選択される第１選択領域を有する第１画面と、前記第１選択領域が選択された場合に前記第１画面から切り替えられるとともに、前記ポインタが重ねられた状態で所定時間保持された際に選択される第２選択領域を有する第２画面とを表示可能な表示画面部と、
前記ポインタが重ねられた状態で所定時間保持されることにより前記第１画面の第１選択領域が選択されて前記第２画面に切り替えられる際に、前記ポインタが前記第２画面の第２選択領域に重ならないように前記ポインタの表示位置を第１方向に移動させるように制御する制御部とを備える、入力装置。
【請求項２】
前記表示画面部は、前記第２選択領域が選択された場合に前記第２画面から切り替えられるとともに、前記ポインタが重ねられた状態で所定時間保持された際に選択される第３選択領域を有する第３画面を表示可能なように構成されており、
前記制御部は、前記表示位置が前記制御部により前記第１方向に移動された前記ポインタがユーザにより移動されて前記第２画面の第２選択領域に重ねられることにより前記第２選択領域が選択されて前記第３画面に切り替えられる際に、前記ポインタの表示位置を前記第１方向とは反対の第２方向に移動させるとともに、前記第３画面の第３選択領域に重ならないように移動させる制御を行うように構成されている、請求項１に記載の入力装置。
【請求項３】
前記制御部は、前記第２選択領域が選択されて前記第３画面に切り替えられる際に、前記ポインタの表示位置が前記第３選択領域に重なる場合、前記ポインタの表示位置を前記第１方向とは反対の第２方向に移動させるとともに、前記第３画面の第３選択領域に重ならないように移動させる制御を行うように構成されている、請求項２に記載の入力装置。
【請求項４】
前記制御部により前記第１方向に移動させる前の前記ポインタの表示位置の第１位置座標と、前記制御部により前記第１方向に移動させた後の前記ポインタの表示位置の第２位置座標とを記憶するための記憶部をさらに備え、
前記制御部は、前記第２選択領域が選択されて前記第３画面に切り替えられる際に、前記記憶部に記憶されている前記第１位置座標と前記第２位置座標とから前記第１方向を求め、前記第１方向とは反対の前記第２方向に前記ポインタの表示位置を移動させる制御を行うように構成されている、請求項２または３に記載の入力装置。
【請求項５】
前記制御部は、前記ポインタの表示位置を前記第１選択領域の前記第１方向側の外縁部近傍に移動させるとともに、前記ポインタの表示位置を前記第２選択領域の前記第２方向側の外縁部近傍に移動させるように構成されている、請求項２〜４のいずれか１項に記載の入力装置。
【請求項６】
前記表示画面部は、前記第１選択領域、前記第２選択領域および前記第３選択領域と重ならない位置に配置されたポインタ格納領域を表示可能なように構成されており、
前記操作部は、前記ポインタ格納領域に前記ポインタの表示位置を移動させるためのリセット操作が可能なように構成されており、
前記制御部は、前記リセット操作が行われたことに基づいて、前記ポインタ格納領域に前記ポインタの表示位置を移動させるように構成されている、請求項１〜５のいずれか１項に記載の入力装置。
【請求項７】
前記ポインタ格納領域は、前記表示画面部の隅部近傍に配置されている、請求項６に記載の入力装置。
【発明の詳細な説明】
【技術分野】
【０００１】
この発明は、入力装置に関し、特に、制御部によってポインタの表示位置が移動される入力装置に関する。
【背景技術】
【０００２】
従来、制御部によってポインタの表示位置が移動される入力装置が知られている（たとえば、特許文献１〜３参照）。
【０００３】
上記特許文献１には、文字入力の位置を指定するキャラクタカーソル表示位置に文字を入力するための文字入力装置と、矢印形状を有するポインティングカーソル（ポインタ）を移動可能に操作するためのポインティングデバイス（操作部）と、キャラクタカーソルおよびポインティングカーソルと入力された文字とを表示する表示装置と、キャラクタカーソルが表示されているキャラクタカーソル表示位置とポインティングカーソルとが一定範囲内にある際に、ポインティングカーソルがキャラクタカーソル表示位置の一定範囲内に入らないように、ポインティングカーソルの位置を移動させるように制御する制御部とを備えたポインティングカーソル制御装置が開示されている。なお、上記特許文献１には、ポインタが選択領域に重ねられた状態で所定時間保持された際に選択領域が選択されるような操作（ロールオーバー操作）に関しては開示も示唆もされていない。
【０００４】
また、上記特許文献２には、文字入力の位置を指定する文字カーソル位置に文字を入力するためのキーボードと、矢印形状を有するマウスカーソル（ポインタ）を移動可能に操作するためのマウス（操作部）と、文字カーソルおよびマウスカーソルとマウスカーソルが格納されるマウスカーソル格納域と入力された文字とを表示するＣＲＴ（表示画面部）と、文字カーソル位置情報とマウスカーソル位置情報とが一致する場合に、マウスカーソルをマウスカーソル格納域に移動させるように制御する制御部とを備えたデータ入力装置が開示されている。また、上記特許文献２では、マウスカーソル格納域が設けられていない場合においては、文字カーソル位置情報とマウスカーソル位置情報とが一致する際に、マウスカーソルの形状が、矢印形状からマウスカーソルの位置する文字の下方に表示されるアンダーバー形状に変更されるように構成されている。なお、上記特許文献２には、ポインタが選択領域に重ねられた状態で所定時間保持された際に選択領域が選択されるような操作（ロールオーバー操作）に関しては開示も示唆もされていない。
【０００５】
また、上記特許文献３には、文字を入力するためのキーボードと、矢印形状を有するロケータカーソル（ポインタ）を移動可能に操作するためのマウス（操作部）と、ロケータカーソルと入力された文字とを表示するディスプレイ（表示画面部）と、新たに入力される文字とロケータカーソルとが重なる際に、ロケータカーソルの位置を両者の重なりが発生しない位置まで自動的に移動させるように制御するＣＰＵ（制御部）とを備えたカーソル制御装置が開示されている。なお、上記特許文献３には、ポインタが選択領域に重ねられた状態で所定時間保持された際に選択領域が選択されるような操作（ロールオーバー操作）に関しては開示も示唆もされていない。
【先行技術文献】
【特許文献】
【０００６】
【特許文献１】特開平５−１５０９３５号公報
【特許文献２】特開平８−３３９２８７号公報
【特許文献３】特開平５−６１６０８号公報
【発明の概要】
【発明が解決しようとする課題】
【０００７】
しかしながら、上記特許文献１〜３に記載の装置では、ロールオーバー操作に関しては開示も示唆もされていない。上記特許文献１〜３の装置をロールオーバー操作可能に構成した場合に、ポインティングカーソル（マウスカーソル、ロケータカーソル）が選択領域に重ねられた状態で所定時間保持された際に選択領域が選択されて新たな画面が表示される際に、新たな画面に表示される新たな選択領域にポインティングカーソル（マウスカーソル、ロケータカーソル）が重ねられた状態で表示されることに起因して、ユーザの意図に反して新たな選択領域が選択されてしまう場合があるという問題点が考えられる。
【０００８】
この発明は、上記のような課題を解決するためになされたものであり、この発明の１つの目的は、ポインタが選択領域に重ねられた状態で所定時間保持された際に選択領域が選択されるような操作（ロールオーバー操作）が行われる場合に、ユーザの意図に反して新たな選択領域が選択されるのを防止することが可能な入力装置を提供することである。
【課題を解決するための手段および発明の効果】
【０００９】
この発明の一の局面による入力装置は、ポインタを移動可能に操作するための操作部と、ポインタと、ポインタが重ねられた状態で所定時間保持された際に選択される第１選択領域を有する第１画面と、第１選択領域が選択された場合に第１画面から切り替えられるとともに、ポインタが重ねられた状態で所定時間保持された際に選択される第２選択領域を有する第２画面とを表示可能な表示画面部と、ポインタが重ねられた状態で所定時間保持されることにより第１画面の第１選択領域が選択されて第２画面に切り替えられる際に、ポインタが第２画面の第２選択領域に重ならないようにポインタの表示位置を第１方向に移動させるように制御する制御部とを備える。
【００１０】
この発明の一の局面による入力装置では、上記のように、ポインタが重ねられた状態で所定時間保持されることにより第１画面の第１選択領域が選択されて第２画面に切り替えられる際に、ポインタが第２画面の第２選択領域に重ならないようにポインタの表示位置を第１方向に移動させるように制御する制御部を備えることによって、第２画面の第２選択領域に重ならないようにポインタの表示位置を移動させることができるので、ポインタが選択領域に重ねられた状態で所定時間保持された際に選択領域が選択されるような操作（ロールオーバー操作）が行われる場合に、ユーザの意図に反して第２選択領域が選択されるのを防止することができる。
【００１１】
上記一の局面による入力装置において、好ましくは、表示画面部は、第２選択領域が選択された場合に第２画面から切り替えられるとともに、ポインタが重ねられた状態で所定時間保持された際に選択される第３選択領域を有する第３画面を表示可能なように構成されており、制御部は、表示位置が制御部により第１方向に移動されたポインタがユーザにより移動されて第２画面の第２選択領域に重ねられることにより第２選択領域が選択されて第３画面に切り替えられる際に、ポインタの表示位置を第１方向とは反対の第２方向に移動させるとともに、第３画面の第３選択領域に重ならないように移動させる制御を行うように構成されている。このように構成すれば、制御部は、第１選択領域が選択されて第２画面に切り替えられる際に第１方向に移動されたポインタの表示位置を、第２選択領域が選択されて第３画面に切り替えられる際に、第１方向とは反対の第２方向に移動させることができる。これにより、ポインタの表示位置が第３選択領域に重なることを回避しながら、第２方向への移動後のポインタの表示位置が第１方向に移動させる前のポインタの表示位置から遠ざかるのを抑制することができる。
【００１２】
この場合、好ましくは、制御部は、第２選択領域が選択されて第３画面に切り替えられる際に、ポインタの表示位置が第３選択領域に重なる場合、ポインタの表示位置を第１方向とは反対の第２方向に移動させるとともに、第３画面の第３選択領域に重ならないように移動させる制御を行うように構成されている。このように構成すれば、ポインタの表示位置が第３選択領域に重なってしまう場合に、ポインタの表示位置が第３選択領域に重なることを回避しながら、第２方向への移動後のポインタの表示位置が第１方向に移動させる前のポインタの表示位置から遠ざかるのを抑制することができる。
【００１３】
上記第３選択領域に重ならないように第２方向にポインタの表示位置を移動させる入力装置において、好ましくは、制御部により第１方向に移動させる前のポインタの表示位置の第１位置座標と、制御部により第１方向に移動させた後のポインタの表示位置の第２位置座標とを記憶するための記憶部をさらに備え、制御部は、第２選択領域が選択されて第３画面に切り替えられる際に、記憶部に記憶されている第１位置座標と第２位置座標とから第１方向を求め、第１方向とは反対の第２方向にポインタの表示位置を移動させる制御を行うように構成されている。このように構成すれば、記憶部に記憶されている第１位置座標と第２位置座標とから第１方向を求めることによって、制御部は、第１選択領域が選択されて第２画面に切り替えられた際に第１方向へ移動させられたポインタの表示位置を、第２選択領域が選択されて第３画面に切り替えられる際に、第１方向とは反対の第２方向に容易に移動させて表示することができる。
【００１４】
上記第３選択領域に重ならないように第２方向にポインタの表示位置を移動させる入力装置において、好ましくは、制御部は、ポインタの表示位置を第１選択領域の第１方向側の外縁部近傍に移動させるとともに、ポインタの表示位置を第２選択領域の第２方向側の外縁部近傍に移動させるように構成されている。このように構成すれば、制御部によってポインタの表示位置を選択領域の外縁部より離れた位置に移動させる場合と比べて、ポインタの表示位置の移動距離を小さくすることができるので、ユーザがポインタの表示位置を見失うのを抑制することができる。
【００１５】
上記一の局面による入力装置において、好ましくは、表示画面部は、第１選択領域、第２選択領域および第３選択領域と重ならない位置に配置されたポインタ格納領域を表示可能なように構成されており、操作部は、ポインタ格納領域にポインタの表示位置を移動させるためのリセット操作が可能なように構成されており、制御部は、リセット操作が行われたことに基づいて、ポインタ格納領域にポインタの表示位置を移動させるように構成されている。このように構成すれば、ユーザは操作部においてリセット操作を行うことによってポインタの表示位置をポインタ格納領域に移動させることができるので、操作中にポインタの表示位置を見失った場合においても、ユーザはポインタ格納領域に移動されたポインタの表示位置から操作を再開することができる。また、ポインタ格納領域を第１選択領域、第２選択領域および第３選択領域と重ならない位置に配置することによって、ポインタがポインタ格納領域に位置された場合に第１選択領域、第２選択領域および第３選択領域を選択するのを防止することができる。
【００１６】
この場合、好ましくは、ポインタ格納領域は、表示画面部の隅部近傍に配置されている。このように構成すれば、ポインタ格納領域を表示画面部の隅部近傍以外に配置する場合と比べて、ポインタ格納領域によって表示画面部内の選択領域の表示可能な位置が制限されるのを抑制することができるので、表示画面部内における選択領域のレイアウトの自由度を高めることができる。
【図面の簡単な説明】
【００１７】
【図１】本発明の第１実施形態による入力装置の全体構成を示した図である。
【図２】図１に示した入力装置のリモートコントローラの構成を示すブロック図である。
【図３】図１に示した入力装置の液晶テレビジョンの構成を示すブロック図である。
【図４】図１に示した入力装置のロールオーバー操作時のポインタの表示位置を説明するための図である。
【図５】図１に示した入力装置のロールオーバー操作時のポインタの表示位置を説明するための図である。
【図６】図１に示した入力装置のロールオーバー操作時のポインタの表示位置を説明するための図である。
【図７】図１に示した入力装置のロールオーバー操作時のポインタの表示位置を説明するための図である。
【図８】図１に示した入力装置の液晶テレビジョンのロールオーバー操作時の制御フローを示した図である。
【図９】図１に示した入力装置の液晶テレビジョンの第１位置補正処理の制御フローを示した図である。
【図１０】図１に示した入力装置の液晶テレビジョンの第２位置補正処理の制御フローを示した図である。
【図１１】本発明の第２実施形態による入力装置の全体構成を示した図である。
【図１２】図１１に示した入力装置のリモートコントローラの構成を示すブロック図である。
【図１３】図１１に示した入力装置のロールオーバー操作時のポインタの表示位置を説明するための図である。
【図１４】図１１に示した入力装置のロールオーバー操作時のポインタの表示位置を説明するための図である。
【図１５】図１１に示した入力装置のロールオーバー操作時のポインタの表示位置を説明するための図である。
【図１６】図１１に示した入力装置のロールオーバー操作時のポインタの表示位置を説明するための図である。
【図１７】図１１に示した入力装置の液晶テレビジョンのリセットボタン押下時の制御フローを示した図である。
【発明を実施するための形態】
【００１８】
以下、本発明を具体化した実施形態を図面に基づいて説明する。
【００１９】
（第１実施形態）
まず、図１〜図６を参照して、本発明の第１実施形態による入力装置１００の構成について説明する。
【００２０】
本発明の第１実施形態による入力装置１００は、図１に示すように、リモートコントローラ１と、液晶テレビジョン２とを備える。また、リモートコントローラ１は、円柱状の筐体１０からなるとともに、筐体１０の表面上には、後述するポインタ８を操作するための操作ボタンは設けられていない。なお、リモートコントローラ１は、本発明の「操作部」の一例である。
【００２１】
また、リモートコントローラ１は、図２に示すように、加速度センサ１１と、アナログ信号処理部１２と、制御部１３と、記憶部１４と、送信部１５とを含んでいる。また、加速度センサ１１は、リモートコントローラ１の上下左右方向の移動を検知する機能を有する。また、加速度センサ１１は、リモートコントローラ１の上下左右方向の移動をアナログ信号としてアナログ信号処理部１２に出力するように構成されている。また、アナログ信号処理部１２は、加速度センサ１１から出力されたアナログ信号をデジタル信号に変換して制御部１３に出力するように構成されている。
【００２２】
また、制御部１３は、アナログ信号処理部１２から出力されたリモートコントローラ１の上下左右方向の移動に関するデジタル信号を記憶部１４に一時的に記憶させる機能を有する。また、制御部１３は、リモートコントローラ１の上下左右方向の移動に関するデジタル信号を動作制御信号として、無線信号（ＲＦ（高周波）信号）を用いて送信部１５から外部に向けて発信させる機能を有する。
【００２３】
また、液晶テレビジョン２には、図３に示すように、送信部１５（図２参照）から発信されたリモートコントローラ１の上下左右方向の移動に関する動作制御信号（図１の一点鎖線）を受信する受信部２０と、動作制御信号に対する処理などを行う制御部２１と、動作制御信号に対する処理の内容が記憶されている記憶部２２とが設けられている。また、制御部２１にはタイマーが内蔵されており、制御部２１は、受信部２０において動作制御信号を受信してからの経過時間を計測するように構成されている。なお、制御部２１の具体的な制御に関しては後述する。また、液晶テレビジョン２には、テレビジョン放送を受信するためのテレビジョン放送受信部２３がさらに設けられている。
【００２４】
また、液晶テレビジョン２は、画像音声処理部２４と、表示画面部２５と、音声を発生させるスピーカ２６とを含む。画像音声処理部２４は、制御部２１の処理の内容に応じて表示画面部２５において画像を表示させるように処理を行うように構成されている。具体的には、画像音声処理部２４は、第１選択画面３（図１参照）、第２選択画面４（図４および図５参照）および第３選択画面５（図６参照）を表示させるような処理を行うとともに、制御部２１における処理に基づいて、リモートコントローラ１の上下左右方向の移動に連動するようにポインタ８を第１選択画面３、第２選択画面４および第３選択画面５の各画面内で移動可能に表示させるような処理を行うように構成されている。また、画像音声処理部２４は、制御部２１における処理に基づいて、スピーカ２６から音声を発生させるように処理を行うように構成されている。また、図１に示すように、表示画面部２５は、液晶テレビジョン２の前面の略全体に渡って形成されているとともに、スピーカ２６は、表示画面部２５の下部（Ｚ１方向）に配置されている。
【００２５】
次に、図１および図３〜図７を参照して、本発明の第１実施形態による入力装置１００のロールオーバー操作の概要について説明する。
【００２６】
まず、図１に示すように、表示画面部２５には、第１選択画面３が表示されている。この第１選択画面３には、同一の長方形形状を有する４つの第１選択領域３ａ〜３ｄとポインタ８とが表示されている。これら４つの第１選択領域３ａ〜３ｄは、それぞれ、ポインタ８が重ねられた状態で１秒間保持された際に自動的に選択される（ロールオーバー操作）ように構成されており、第１選択領域３ａ〜３ｄが選択されることによって、表示画面部２５には、第２選択画面４（図４参照）が表示されるように構成されている。なお１秒間は、本発明の「所定時間」の一例である。
【００２７】
また、ポインタ８は、ユーザによるリモートコントローラ１の上下左右方向の移動に連動して表示画面部２５を移動するように表示される。この際、ポインタ８が表示されている表示位置を基準位置Ｐ０とする。この基準位置Ｐ０は、ポインタ８の上下左右方向の移動に連動して移動するように設定されている。なお、第１実施形態では、図１に示すように、ユーザによって第１選択領域３ｃにポインタ８が重ねられた状態で１秒間保持されることによって、第１選択領域３ｃが選択される場合について説明する。なお、基準位置Ｐ０は、本発明の「第１位置座標」の一例である。
【００２８】
第１選択領域３ｃが選択されることによって、図４に示すように、表示画面部２５に第２選択画面４が表示されるとともに、第２選択画面４に、同一の長方形形状を有する３つの第２選択領域４ａ〜４ｃとポインタ８とが表示される。また、これら３つの第２選択領域４ａ〜４ｃは、それぞれ、ポインタ８が重ねられた状態で１秒間保持された際に自動的に選択されるように構成されている。
【００２９】
ここで、第１実施形態では、第１選択画面３（図１参照）から第２選択画面４に切り替わる際に、ポインタ８の表示位置（基準位置Ｐ０（破線））が第２選択画面４の第２選択領域４ａに重なる場合に、制御部２１（図３参照）によって、ポインタ８の表示位置を基準位置Ｐ０からＺ１方向に移動させるとともに、第２選択領域４ａのＺ１側の外縁部近傍の外側に移動させるような処理（第１位置補正処理）が行われて、ポインタ８は第２選択画面４に表示される。この際、ポインタ８が表示されている表示位置を第１補正位置Ｐ１とする。この第１補正位置Ｐ１は、ポインタ８の上下左右方向の移動に連動して移動するように設定されている。また、基準位置Ｐ０と第１補正位置Ｐ１とは、Ｚ方向に距離Ｌ１だけ離れた状態となる。なお、Ｚ１方向は、本発明の「第１方向」の一例であり、第１補正位置Ｐ１は、本発明の「第２位置座標」の一例である。
【００３０】
次に、図５に示すように、第１位置補正処理が行われたポインタ８がユーザによって移動されて第２選択画面４の第２選択領域４ｂ内に移動された後に、第２選択領域４ｂにおいてポインタ８が重ねられた状態で１秒間保持されることによって、第２選択領域４ｂが自動的に選択される場合について説明する。なお、第１位置補正処理が行われたポインタ８が移動された際に、ポインタ８の基準位置Ｐ０と第１補正位置Ｐ１との相対的な位置関係は変化していない。
【００３１】
第２選択領域４ｂ（図５参照）が選択されることによって、図６に示すように、表示画面部２５に第３選択画面５が表示されるとともに、第３選択画面５に、同一の長方形形状を有する５つの第３選択領域５ａ〜５ｅとポインタ８とが表示される。また、これら５つの第３選択領域５ａ〜５ｅは、それぞれ、ポインタ８が重ねられた状態で１秒間保持された際に自動的に選択されるように構成されている。
【００３２】
また、第１実施形態では、第２選択画面４（図５参照）から第３選択画面５に切り替わる際に、ポインタ８の表示位置（第１補正位置Ｐ１（一点鎖線））が第３選択領域５ｃに重なる場合に、制御部２１によって、ポインタ８の表示位置を第１補正位置Ｐ１から第１位置補正処理（図４参照）における移動方向であるＺ１方向とは反対のＺ２方向に移動させるとともに、第３選択領域５ｃのＺ２側の外縁部近傍の外側に移動させるような処理（第２位置補正処理）が行われて、ポインタ８は第３選択画面５に表示される。この際、ポインタ８が表示されている表示位置を第２補正位置Ｐ２（実線）とする。ここで、第２補正位置Ｐ２が第１位置補正処理が行われる前の位置である基準位置Ｐ０（破線）よりもＺ２側に位置するように第２位置補正処理が行われることによって、基準位置Ｐ０と第２補正位置Ｐ２とは、距離Ｌ２だけ離れた状態となる。なお、Ｚ２方向は、本発明の「第２方向」の一例である。
【００３３】
ここで、第１実施形態に対する比較例として、図７に示すように、制御部２１によって、ポインタ８の表示位置を第１補正位置Ｐ１（一点鎖線）から第１位置補正処理（図４参照）における移動方向であるＺ１方向と同一のＺ１方向に移動させるとともに、第３選択領域５ｃのＺ１側の外縁部近傍の外側に移動させるような処理が行われた場合を想定する。この場合、ポインタ８が表示されている表示位置を第２補正位置Ｐ３（実線）とすると、基準位置Ｐ０（破線）と第２補正位置Ｐ３とは、距離Ｌ３だけ離れた状態となる。この際、第１位置補正処理と第２位置補正処理とにおける移動が蓄積することによって、第１位置補正処理が行われる前の位置である基準位置Ｐ０と第１位置補正処理および第２位置補正処理が行われた後の位置である第２補正位置Ｐ３との距離Ｌ３は、基準位置Ｐ０と第１補正位置Ｐ１との距離Ｌ１よりも常に大きくなる。したがって、この状態でユーザがポインタ８を操作すると、ポインタ８の表示位置は、第１位置補正処理前の基準位置Ｐ０から距離Ｌ３だけ離れた第２補正位置Ｐ３にずらされた位置に移動されるため、ユーザのポインタ８に対する操作性が悪くなる。
【００３４】
このように、第１実施形態においては、第１選択画面３（図１参照）から第２選択画面４（図４参照）に切り替わる際に、ポインタ８が第２選択画面４の第２選択領域４ａ〜４ｃのいずれかに重なる場合に、制御部２１（図３参照）によって、ポインタ８の表示位置を第２選択画面４の第２選択領域４ａ〜４ｃに重ならせないような処理が行われるように構成されている。また、第２選択画面４（図５参照）から第３選択画面５（図６参照）に切り替わる際に、制御部２１によって、ポインタ８の表示位置を第１補正位置Ｐ１から第１位置補正処理（図４参照）における移動方向であるＺ１方向とは反対のＺ２方向に移動させるとともに、第３選択領域５ａ〜５ｅ（図６参照）に重ならせないような処理が行われるように構成されている。
【００３５】
次に、図１〜図６および図８〜図１０を参照して、本発明の第１実施形態による入力装置１００の液晶テレビジョン２のロールオーバー操作時の制御フローについて説明する。
【００３６】
まず、図８に示すように、ステップＳ１において、液晶テレビジョン２の制御部２１（図３参照）は、受信部２０（図３参照）が送信部１５（図２参照）から発信されたリモートコントローラ１の上下左右方向の移動に関する動作制御信号を受信したか否かを判断する。そして、ステップＳ１において、制御部２１が、受信部２０がリモートコントローラ１の上下左右方向の移動に関する動作制御信号を受信したと判断した場合には、ステップＳ２に進み、制御部２１は、ポインタ８をリモートコントローラ１の上下左右方向の移動に連動して表示画面部２５を移動するように表示するとともに、液晶テレビジョン２の本制御を終了する。また、ステップＳ１において、制御部２１が、受信部２０がリモートコントローラ１の上下左右方向の移動に関する動作制御信号を受信していないと判断した場合には、ステップＳ３に進む。
【００３７】
そして、ステップＳ３において、制御部２１は、受信部２０がリモートコントローラ１の上下左右方向の移動に関する動作制御信号を１秒以上受信していないか否かを判断する。そして、ステップＳ３において、制御部２１が、受信部２０が動作制御信号を１秒以上受信していないと判断した場合には、ステップＳ４に進む。また、ステップＳ３において、制御部２１が、受信部２０が動作制御信号を１秒未満の間受信していないと判断した場合には、ステップＳ１に戻る。
【００３８】
また、ステップＳ４において、制御部２１は、ポインタ８が切り替え前の選択領域（図１の第１選択領域３ａ〜３ｄおよび図５の第２選択領域４ａ〜４ｃ）に重なっているか否かを判断する。この際、制御部２１は、ポインタ８の表示位置のＸ方向とＺ方向とからなる平面内における座標が、切り替え前の選択領域の四隅のＸ方向とＺ方向とからなる平面内における座標によって形成される領域内にあるか否かによって判断する。そして、ステップＳ４において、制御部２１が、ポインタ８が切り替え前の選択領域に重なっていると判断した場合には、ステップＳ５に進み、表示画面部２５において、切り替え前の画面（図１の第１選択画面３および図５の第２選択画面４）の表示を解除する。そして、ステップＳ６に進む。また、ステップＳ４において、制御部２１が、ポインタ８が切り替え前の選択領域に重なっていないと判断した場合には、ステップＳ１に戻る。
【００３９】
次に、ステップＳ６において、制御部２１は、ポインタ８が切り替え後の選択領域（図４の第２選択領域４ａ〜４ｃおよび図６の第３選択領域５ａ〜５ｅ）に重なっているか否かを判断する。そして、ステップＳ６において、制御部２１が、ポインタ８が切り替え後の選択領域に重なっていると判断した場合には、ステップＳ７に進む。また、ステップＳ６において、制御部２１が、ポインタ８が切り替え後の選択領域に重なっていないと判断した場合には、ステップＳ１２に進む。
【００４０】
そして、ステップＳ７において、制御部２１は、ポインタ８の表示位置が第１位置補正処理が行われる前の位置である基準位置Ｐ０であるか否かを判断する。そして、ステップＳ７において、制御部２１が、ポインタ８の表示位置が基準位置Ｐ０であると判断した場合には、ステップＳ８に進み、図９に示す第１位置補正処理が行われる。また、ステップＳ７において、制御部２１が、ポインタ８の表示位置が基準位置Ｐ０でないと判断した場合には、ステップＳ１０に進み、図１０に示す第２位置補正処理が行われる。
【００４１】
ここで、図９に示す第１位置補正処理では、まず、ステップＳ８ａにおいて、制御部２１は、ポインタ８の表示位置（基準位置Ｐ０）が、切り替え後の選択領域（図４の第２選択領域４ａ〜４ｃ）のＺ２側の外縁部よりも、切り替え後の選択領域のＺ１側の外縁部に近いか否かを判断する。この際、制御部２１は、ポインタ８の基準位置Ｐ０のＺ座標と切り替え後の選択領域のＺ２側の外縁部のＺ座標との距離と、ポインタ８の基準位置Ｐ０のＺ座標と切り替え後の選択領域のＺ１側の外縁部のＺ座標との距離とを比較することにより判断する。
【００４２】
そして、ステップＳ８ａにおいて、制御部２１が、ポインタ８の基準位置Ｐ０が切り替え後の選択領域のＺ２側の外縁部よりも、切り替え後の選択領域のＺ１側の外縁部に近いと判断した場合には、ステップＳ８ｂに進み、制御部２１は、ポインタ８の表示位置を基準位置Ｐ０から、切り替え後の選択領域のＺ１側の外縁部よりもわずかにＺ１側の外側に位置するように移動させる。そして、図８に示すステップＳ９に進む。また、ステップＳ８ａにおいて、制御部２１が、ポインタ８の基準位置Ｐ０が切り替え後の選択領域のＺ１側の外縁部よりも、切り替え後の選択領域のＺ２側の外縁部に近いと判断した場合には、ステップＳ８ｃに進み、制御部２１は、ポインタ８の表示位置を基準位置Ｐ０から、切り替え後の選択領域のＺ２側の外縁部よりもわずかにＺ２側の外側に位置するように移動させる。そして、図８に示すステップＳ９に進む。
【００４３】
そして、図８に示すように、ステップＳ９において、制御部２１は、表示画面部２５に、切り替え後の画面（図４の第２選択画面４）を表示させるとともに、切り替え後の画面において、切り替え後の選択領域（図４の第２選択領域４ａ〜４ｃ）と、ステップＳ８において行われた第１位置補正処理に基づいて、表示位置を移動させたポインタ８とを表示するとともに、液晶テレビジョン２の本制御を終了する。
【００４４】
また、ステップＳ７において、制御部２１が、ポインタ８の表示位置が基準位置Ｐ０でないと判断された場合には、ステップＳ１０に進み、図１０に示す第２位置補正処理が行われる。ここで、第２位置補正処理では、まず、ステップＳ１０ａにおいて、制御部２１は、ポインタ８の表示位置（図５の第１補正位置Ｐ１）が、第１位置補正処理が行われる前の位置である基準位置Ｐ０よりもＺ１側に位置するか否かを判断する。この際、制御部２１は、記憶部２２に記憶されているポインタ８の基準位置Ｐ０のＺ座標と第１補正位置Ｐ１のＺ座標とを比較することによって、第１補正位置Ｐ１が基準位置Ｐ０よりもＺ１側に位置するか否かを判断する。
【００４５】
そして、ステップＳ１０ａにおいて、制御部２１が、ポインタ８の第１補正位置Ｐ１が、基準位置Ｐ０よりもＺ１側に位置すると判断した場合には、ステップＳ１０ｂに進み、制御部２１は、ポインタ８の表示位置を、切り替え後の選択領域（図６の第３選択領域５ａ〜５ｅ）のＺ２側の外縁部よりもわずかにＺ２側の外側に位置するように移動させる。そして、図８に示すステップＳ１１に進む。また、ステップＳ１０ａにおいて、制御部２１が、ポインタ８の第１補正位置Ｐ１が、基準位置Ｐ０よりもＺ２側に位置すると判断した場合には、ステップＳ１０ｃに進み、制御部２１は、ポインタ８の表示位置を、切り替え後の選択領域のＺ１側の外縁部よりもわずかにＺ１側の外側に位置するように移動させる。そして、図８に示すステップＳ１１に進む。
【００４６】
次に、ステップＳ１１において、制御部２１は、表示画面部２５に、切り替え後の画面（図６の第３選択画面５）を表示させるとともに、切り替え後の画面において、切り替え後の選択領域（図６の第３選択領域５ａ〜５ｅ）と、ステップＳ１０において行われた第２位置補正処理に基づいて、表示位置を移動させたポインタ８とを表示するとともに、液晶テレビジョン２の本制御を終了する。
【００４７】
また、ステップＳ６において、制御部２１が、ポインタ８が切り替え後の選択領域に重なっていないと判断した場合には、ステップＳ１２に進み、ステップＳ１２において、制御部２１は、表示画面部２５に、切り替え後の画面（図示せず）を表示させるとともに、切り替え後の画面において、切り替え後の選択領域（図示せず）と、表示位置の変化のないポインタ８とを表示するとともに、液晶テレビジョン２の本制御を終了する。
【００４８】
第１実施形態では、上記のように、制御部２１が、ポインタ８の表示位置を第１位置補正処理が行われる前の位置である基準位置Ｐ０からＺ１方向に移動させて、第２選択領域４ａのＺ１側の外縁部近傍の外側に移動させるような処理（第１位置補正処理）を行うように構成することによって、第２選択画面４の第２選択領域４ａに重ならないようにポインタ８の表示位置を基準位置Ｐ０から第１補正位置Ｐ１に移動させることができるので、ポインタ８が第２選択領域４ａに重ねられた状態で１秒間保持された際に第２選択領域４ａが選択されることにより、ユーザの意図に反して第２選択領域４ａが選択されるのを防止することができる。
【００４９】
また、第１実施形態では、上記のように、制御部２１が、記憶部２２に記憶されているポインタ８の基準位置Ｐ０のＺ座標と第１補正位置Ｐ１のＺ座標とを比較することにより基準位置Ｐ０から第１補正位置Ｐ１へ向かうＺ１方向を求めることによって、ポインタ８の表示位置を第１位置補正処理が行われた後の位置である第１補正位置Ｐ１から第１位置補正処理における移動方向であるＺ１方向とは反対のＺ２方向に移動させるとともに、第３選択領域５ｃのＺ２側の外縁部近傍の外側に移動させるような処理（第２位置補正処理）を行うように構成することによって、制御部２１は、第１選択領域３ｃが選択されて第２選択画面４に切り替えられた際にＺ１方向に移動されたポインタ８の表示位置を、第２選択領域４ｂが選択されて第３選択画面５に切り替えられる際に、Ｚ１方向とは反対のＺ２方向に移動させることができる。これにより、ポインタ８の表示位置が第３選択領域５ａ〜５ｅに重なることを回避しながら、Ｚ２方向への移動後のポインタ８の表示位置（第２補正位置Ｐ２）がＺ１方向に移動させる前のポインタ８の表示位置（基準位置Ｐ０）から遠ざかるのを抑制することができるとともに、第１選択領域３ｃが選択されて第２選択画面４に切り替えられる際にポインタ８の表示位置がＺ１方向へ移動したことに起因するユーザのポインタ８に対する操作感の悪化を抑制することができる。
【００５０】
また、第１実施形態では、上記のように、ポインタ８の表示位置である第１補正位置Ｐ１を第２選択領域４ａのＺ１側の外縁部近傍の外側に移動させるように構成するとともに、ポインタ８の表示位置である第２補正位置Ｐ２を第３選択領域５ｃのＺ２側の外縁部近傍の外側に移動させるように構成することによって、制御部２１によってポインタ８の表示位置（第１補正位置Ｐ１および第２補正位置Ｐ２）を選択領域（第２選択領域４ａおよび第３選択領域５ｃ）の外縁部より離れた位置に移動させる場合と比べて、ポインタ８の移動距離を小さくすることができるので、ユーザがポインタ８の表示位置を見失うのを抑制することができる。
【００５１】
（第２実施形態）
次に、図１１〜図１７を参照して、第２実施形態について説明する。この第２実施形態による入力装置２００では、上記第１実施形態と異なり、リモートコントローラ２０１にリセットボタン２１６を設けるとともに、液晶テレビジョン２の表示画面部２５にポインタ格納領域２０９を配置する場合について説明する。なお、リモートコントローラ２０１は、本発明の「操作部」の一例である。
【００５２】
まず、図１１〜図１６を参照して、本発明の第２実施形態による入力装置２００の構成について説明する。
【００５３】
本発明の第２実施形態による入力装置２００のリモートコントローラ２０１の筐体１０の表面上には、図１１に示すように、リセットボタン２１６が設けられている。また、図１２に示すように、制御部１３は、リセットボタン２１６の押下に関するデジタル信号を動作制御信号として、無線信号（ＲＦ（高周波）信号）を用いて送信部１５から外部に向けて発信させる機能を有する。なお、リセットボタン２１６の押下は、本発明の「リセット操作」の一例である。
【００５４】
また、図１１に示すように、液晶テレビジョン２の表示画面部２５のＸ１側で、かつ、Ｚ２側の隅部近傍には、ポインタ格納領域２０９が配置されるように表示されている。このポインタ格納領域２０９は、第１選択画面３、第２選択画面４（図１３および図１４参照）および第３選択画面５（図１５および図１６参照）のいずれの画面表示時においても、同じ位置に表示されるとともに、第１選択領域３ａ〜３ｄ、第２選択領域４ａ〜４ｃ（図１３および図１４参照）および第３選択領域５ａ〜５ｅ（図１５および図１６参照）のいずれにも重ならない位置に配置されるように表示されている。なお、第２実施形態のその他の構成は、上記第１実施形態と同様である。
【００５５】
次に、図１１〜図１６を参照して、本発明の第２実施形態による入力装置２００のロールオーバー操作の概要について説明する。
【００５６】
まず、図１１に示すように、表示画面部２５には、第１選択画面３が表示されている。この第１選択画面３においては、同一の長方形形状を有する４つの第１選択領域３ａ〜３ｄとポインタ８とポインタ格納領域２０９とが表示されている。また、ポインタ８が表示されている表示位置を基準位置Ｐ０とする。なお、第２実施形態では、図１１に示すように、ユーザによって第１選択領域３ｃにおいてポインタ８が重ねられた状態で１秒間保持されることによって、第１選択領域３ｃが自動的に選択される場合について説明する。
【００５７】
第１選択領域３ｃが選択されることによって、図１３に示すように、表示画面部２５に第２選択画面４が表示されるとともに、第２選択画面４に、同一の長方形形状を有する３つの第２選択領域４ａ〜４ｃとポインタ８とポインタ格納領域２０９とが表示される。
【００５８】
また、第１選択画面３（図１１参照）から第２選択画面４に切り替わる際に、ポインタ８の表示位置（基準位置Ｐ０（破線））が第２選択画面４の第２選択領域４ａに重なる場合に、制御部２１（図１２参照）によって、ポインタ８の表示位置を基準位置Ｐ０からＺ１方向に移動させて、第２選択領域４ａのＺ１側の外縁部近傍の外側に移動させるような処理（第１位置補正処理）が行われて、ポインタ８は第２選択画面４に表示される。この際、ポインタ８が表示されている表示位置を第１補正位置Ｐ１とする。また、基準位置Ｐ０と第１補正位置Ｐ１とは、Ｚ方向に距離Ｌ１だけ離れた状態となる。
【００５９】
なお、第２実施形態では、図１４に示すように、第１位置補正処理が行われたポインタ８がユーザによって移動されて第２選択画面４の第２選択領域４ｂ内に移動された後に、第２選択領域４ｂにおいてポインタ８が重ねられた状態で１秒間保持されることによって、第２選択領域４ｂが自動的に選択される場合について説明する。第２選択領域４ｂが選択されることによって、図１５に示すように、表示画面部２５に第３選択画面５が表示されるとともに、第３選択画面５に、同一の長方形形状を有する５つの第３選択領域５ａ〜５ｅとポインタ８とポインタ格納領域２０９とが表示される。
【００６０】
また、第２選択画面４（図１４参照）から第３選択画面５に切り替わる際に、ポインタ８が第３選択領域５ｃに重なるように表示される場合において、制御部２１によってポインタ８の表示位置を第１位置補正処理が行われる後の位置である第１補正位置Ｐ１（一点鎖線）からＺ１方向に移動させるとともに、第３選択領域５ｃのＺ１側の外縁部近傍の外側に移動されるような処理が行われて、ポインタ８は第３選択画面５に表示される。この際、ポインタ８が表示されている表示位置を第２補正位置Ｐ３（実線）とすると、基準位置Ｐ０（破線）と第２補正位置Ｐ３とは、距離Ｌ３で離れた状態となる。
【００６１】
ここで、第２実施形態において、ユーザ（図示せず）によって、リモートコントローラ２０１のリセットボタン２１６が押下されたという動作制御信号を受信部２０が受信したと制御部２１によって判断された場合には、図１６に示すように、ポインタ８の表示位置は、表示画面部２５のＸ１側で、かつ、Ｚ２側の隅部近傍に配置されたポインタ格納領域２０９に移動される。この際、ポインタ８は、ポインタの表示位置である第２補正位置Ｐ３でなく、新たな基準位置Ｐ４に位置されるように表示される。
【００６２】
次に、図３、図１２および図１７を参照して、本発明の第２実施形態による入力装置２００の液晶テレビジョン２のリセットボタン２１６の押下時の制御フローについて説明する。
【００６３】
まず、図１７に示すように、ステップＳ２０１において、液晶テレビジョン２の制御部２１（図３参照）は、受信部２０（図３参照）が送信部１５（図１２参照）から発信されたリモートコントローラ１のリセットボタン２１６の押下に関する動作制御信号を受信したか否かを判断する。そして、ステップＳ２０１において、制御部２１が、受信部２０がリセットボタン２１６の押下に関する動作制御信号を受信したと判断した場合には、ステップＳ２０２に進み、制御部２１は、ポインタ８の表示位置をポインタ格納領域２０９に移動させるとともに、液晶テレビジョン２の本制御を終了する。また、ステップＳ２０１において、制御部２１が、受信部２０がリセットボタン２１６の押下に関する動作制御信号を受信していないと判断した場合には、制御部２１は、ステップＳ２０１の制御を繰り返す。
【００６４】
なお、液晶テレビジョン２の上記リセットボタン２１６の押下時の制御は、図８に示した第１実施形態の液晶テレビジョン２のロールオーバー操作時の制御よりも優先して行われるように構成されている。すなわち、制御部２１は、液晶テレビジョン２のロールオーバー操作時の制御が行われている際にリセットボタン２１６が押下されると、ロールオーバー操作時の制御を中断し、リセットボタン２１６の押下時の制御を行うように構成されている。また、制御部２１は、リセットボタン２１６の押下時の制御終了時に、再度、液晶テレビジョン２のロールオーバー操作時の制御を最初（図８のステップＳ１）から行うように構成されている。
【００６５】
第２実施形態では、上記のように、リモートコントローラ２０１のリセットボタン２１６が操作されたという動作制御信号を受信部２０が受信したと制御部２１によって判断された場合に、ポインタ８の表示位置を表示画面部２５のＸ１側で、かつ、Ｚ２側の隅部近傍に配置されたポインタ格納領域２０９に位置させるように構成することによって、ユーザはリセットボタン２１６を操作することによってポインタ８の表示位置をポインタ格納領域２０９に移動させることができるので、操作中にポインタ８の表示位置を見失った場合においても、ユーザはポインタ格納領域２０９に移動されたポインタ８の表示位置（基準位置Ｐ４）から操作を再開することができる。また、ポインタ格納領域２０９を表示画面部２５の隅部近傍以外に配置する場合と比べて、ポインタ格納領域２０９によって表示画面部２５内の選択領域（第１選択領域３ａ〜３ｄ、第２選択領域４ａ〜４ｃおよび第３選択領域５ａ〜５ｅ）の表示可能な位置が制限されるのを抑制することができるので、表示画面部２５内における選択領域のレイアウトの自由度を高めることができる。
【００６６】
また、第２実施形態では、上記のように、ポインタ格納領域２０９を、第１選択画面３、第２選択画面４および第３選択画面５のいずれにも重ならない位置に配置することによって、ポインタ８がポインタ格納領域２０９に位置させた場合に第１選択領域３ａ〜３ｄ、第２選択領域４ａ〜４ｃおよび第３選択領域５ａ〜５ｅを選択するのを防止することができる。なお、第２実施形態のその他の効果は、上記第１実施形態と同様である。
【００６７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６８】
たとえば、上記第１および第２実施形態では、本発明の入力装置としてリモートコントローラと液晶テレビジョンとを備えた例を示したが、本発明はこれに限らず、操作部と表示画面部と制御部とを備えた入力装置であれば、リモートコントローラと液晶テレビジョンとを備える場合に限られず、たとえば、マウスとＰＣ（パーソナルコンピュータ）とを備える入力装置などであってもよい。
【００６９】
また、上記第１実施形態では、リモートコントローラに操作ボタンを設けない例を示したが、本発明はこれに限らず、リモートコントローラに操作ボタンを設けてもよい。その際、本発明の入力装置は、ポインタが重ねられた状態で一秒間以上保持された際に選択領域が自動的に選択される（ロールオーバー操作）ように構成されているため、選択領域を選択するための選択ボタンは設ける必要がない。これにより、リモートコントローラの操作ボタンの数を減少させることが可能である。
【００７０】
また、上記第１および第２実施形態では、制御部が、第１選択画面から第２選択画面に切り替わる際に、ポインタの表示位置（第１補正位置Ｐ１）を第１位置補正処理が行われる前の位置である基準位置Ｐ０からＺ１方向に移動させた例を示したが、本発明はこれに限らず、制御部は、第１選択画面から第２選択画面に切り替わる際に、ポインタの表示位置を基準位置Ｐ０からＺ２方向に移動させてもよい。また、Ｘ方向のどちらか一方に移動させるように構成してもよいし、Ｘ方向とＺ方向とからなる平面内において斜め方向に移動させるように構成してもよい。
【００７１】
また、上記第１実施形態では、制御部が、第２選択画面から第３選択画面に切り替わる際に、ポインタの表示位置である第２補正位置Ｐ２を第１位置補正処理が行われる後の位置である第１補正位置Ｐ１からＺ２方向に移動させた例を示したが、本発明はこれに限らず、制御部は、ポインタの表示位置を基準位置Ｐ０から第１補正位置Ｐ１へ向かう方向とは反対側の方向に移動させるように構成されていれば、Ｚ２方向への移動に限られない。
【００７２】
また、上記第１および第２実施形態では、制御部は、ポインタの表示位置が切り替え後の選択領域に重なっていない場合には、ポインタの表示位置を変化させない例を示したが、本発明はこれに限らず、制御部は、第２選択画面から第３選択画面に切り替わる際に、ポインタの表示位置が切り替え後の選択領域に重なっていない場合においても、ポインタの表示位置を第１位置補正処理が行われる後の位置である第１補正位置Ｐ１から第１位置補正処理における移動方向とは反対の方向に移動させるとともに、第３選択領域に重ならないように移動させるように構成してもよい。
【００７３】
また、上記第１実施形態では、制御部が、第１選択画面から第２選択画面に切り替わる際および第２選択画面から第３選択画面に切り替わる際に、それぞれ、ポインタの表示位置を移動させた例を示したが、本発明はこれに限らず、制御部は、第３選択画面から次の新たな画面に切り替わる際にも、ポインタの表示位置を移動させてもよい。この際、新たなポインタの表示位置は、基準位置Ｐ０のＺ座標と第３選択画面に表示されているポインタの表示位置である第２補正位置Ｐ２のＺ座標との位置関係に基づいて、ポインタの表示位置を移動させることが可能である。たとえば、第２補正位置Ｐ２が基準位置Ｐ０よりもＺ２側にある場合には、制御部によって、新たな画面における選択領域に重ならないように、新たなポインタの表示位置をＺ１方向に移動させるように構成することが可能である。
【００７４】
また、上記第１および第２実施形態では、制御部が、ポインタの表示位置を選択領域に重ならないように選択領域の外縁部近傍に移動させる例を示したが、本発明はこれに限らず、制御部は、ポインタの表示位置を選択領域に重ならない位置に移動させるように構成されていれば、ポインタの表示位置を外縁部近傍以外の領域に移動させてもよい。
【００７５】
また、上記第２実施形態では、リモートコントローラにリセットボタンを設けた例を示したが、本発明はこれに限らず、リモートコントローラを液晶テレビジョンに近づける操作または遠ざける操作や、リモートコントローラを急速に上下左右方向に動かす操作などによって、リセット操作が行われるように構成してもよい。すなわち、リセット操作が可能なように構成されていれば、リモートコントローラにリセットボタンを設けなくてもよい。
【００７６】
また、上記第２実施形態では、表示画面部の隅部近傍にポインタ格納領域を配置した例を示したが、本発明はこれに限らず、ポインタ格納領域が第１選択領域、第２選択領域および第３選択領域のいずれにも重ならない位置に配置されるのであれば、ポインタ格納領域を表示画面部の隅部近傍に設けずに、たとえば、表示画面部の中央部などに設けてもよい。
【００７７】
また、上記第１および第２実施形態では、第１選択領域、第２選択領域および第３選択領域を、それぞれ、ポインタが重ねられた状態で１秒間保持された際に自動的に選択されるように構成した例を示したが、本発明はこれに限らず、第１選択領域、第２選択領域および第３選択領域は、ポインタが重ねられた状態で１秒間より長い時間保持された際に自動的に選択されるように構成してもよいし、ポインタが重ねられた状態で１秒間未満の間保持された際に自動的に選択されるように構成してもよい。
【符号の説明】
【００７８】
１、２０１  リモートコントローラ（操作部）
３  第１選択画面
３ａ〜３ｄ  第１選択領域
４  第２選択画面
４ａ〜４ｃ  第２選択領域
５  第３選択画面
５ａ〜５ｅ  第３選択領域
８  ポインタ
２１  制御部
２２  記憶部
２５  表示画面部
１００、２００  入力装置
２０９  ポインタ格納領域
【図１】
2010204870.tif 000003
【図２】
2010204870.tif 000004
【図３】
2010204870.tif 000005
【図４】
2010204870.tif 000006
【図５】
2010204870.tif 000007
【図６】
2010204870.tif 000008
【図７】
2010204870.tif 000009
【図８】
2010204870.tif 000010
【図９】
2010204870.tif 000011
【図１０】
2010204870.tif 000012
【図１１】
2010204870.tif 000013
【図１２】
2010204870.tif 000014
【図１３】
2010204870.tif 000015
【図１４】
2010204870.tif 000016
【図１５】
2010204870.tif 000017
【図１６】
2010204870.tif 000018
【図１７】
2010204870.tif 000019
【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
ポインタを移動可能に操作するための操作部と、
前記ポインタと、前記ポインタが重ねられた状態で所定時間保持された際に選択される第１選択領域を有する第１画面と、前記第１選択領域が選択された場合に前記第１画面から切り替えられるとともに、前記ポインタが重ねられた状態で所定時間保持された際に選択される第２選択領域を有する第２画面とを表示可能な表示画面部と、
前記ポインタが重ねられた状態で所定時間保持されることにより前記第１画面の第１選択領域が選択されて前記第２画面に切り替えられる際に、前記ポインタが前記第２画面の第２選択領域に重ならないように前記ポインタの表示位置を第１方向に移動させるように制御する制御部とを備える、入力装置。
【請求項２】
前記表示画面部は、前記第２選択領域が選択された場合に前記第２画面から切り替えられるとともに、前記ポインタが重ねられた状態で所定時間保持された際に選択される第３選択領域を有する第３画面を表示可能なように構成されており、
前記制御部は、前記表示位置が前記制御部により前記第１方向に移動された前記ポインタがユーザにより移動されて前記第２画面の第２選択領域に重ねられることにより前記第２選択領域が選択されて前記第３画面に切り替えられる際に、前記ポインタの表示位置を前記第１方向とは反対の第２方向に移動させるとともに、前記第３画面の第３選択領域に重ならないように移動させる制御を行うように構成されている、請求項１に記載の入力装置。
【請求項３】
前記制御部は、前記第２選択領域が選択されて前記第３画面に切り替えられる際に、前記ポインタの表示位置が前記第３選択領域に重なる場合、前記ポインタの表示位置を前記第１方向とは反対の第２方向に移動させるとともに、前記第３画面の第３選択領域に重ならないように移動させる制御を行うように構成されている、請求項２に記載の入力装置。
【請求項４】
前記制御部により前記第１方向に移動させる前の前記ポインタの表示位置の第１位置座標と、前記制御部により前記第１方向に移動させた後の前記ポインタの表示位置の第２位置座標とを記憶するための記憶部をさらに備え、
前記制御部は、前記第２選択領域が選択されて前記第３画面に切り替えられる際に、前記記憶部に記憶されている前記第１位置座標と前記第２位置座標とから前記第１方向を求め、前記第１方向とは反対の前記第２方向に前記ポインタの表示位置を移動させる制御を行うように構成されている、請求項２または３に記載の入力装置。
【請求項５】
前記制御部は、前記ポインタの表示位置を前記第２選択領域の前記第１方向側の外縁部近傍に移動させるとともに、前記ポインタの表示位置を前記第３選択領域の前記第２方向側の外縁部近傍に移動させるように構成されている、請求項２〜４のいずれか１項に記載の入力装置。
【請求項６】
前記表示画面部は、前記第１選択領域、前記第２選択領域および前記第３選択領域と重ならない位置に配置されたポインタ格納領域を表示可能なように構成されており、
前記操作部は、前記ポインタ格納領域に前記ポインタの表示位置を移動させるためのリセット操作が可能なように構成されており、
前記制御部は、前記リセット操作が行われたことに基づいて、前記ポインタ格納領域に前記ポインタの表示位置を移動させるように構成されている、請求項２〜５のいずれか１項に記載の入力装置。
【請求項７】
前記ポインタ格納領域は、前記表示画面部の隅部近傍に配置されている、請求項６に記載の入力装置。
【手続補正２】
【補正対象書類名】明細書
【補正対象項目名】００１４
【補正方法】変更
【補正の内容】
【００１４】
上記第３選択領域に重ならないように第２方向にポインタの表示位置を移動させる入力装置において、好ましくは、制御部は、ポインタの表示位置を第２選択領域の第１方向側の外縁部近傍に移動させるとともに、ポインタの表示位置を第３選択領域の第２方向側の外縁部近傍に移動させるように構成されている。このように構成すれば、制御部によってポインタの表示位置を選択領域の外縁部より離れた位置に移動させる場合と比べて、ポインタの表示位置の移動距離を小さくすることができるので、ユーザがポインタの表示位置を見失うのを抑制することができる。
【手続補正３】
【補正対象書類名】明細書
【補正対象項目名】００１５
【補正方法】変更
【補正の内容】
【００１５】
上記入力装置において、好ましくは、表示画面部は、第１選択領域、第２選択領域および第３選択領域と重ならない位置に配置されたポインタ格納領域を表示可能なように構成されており、操作部は、ポインタ格納領域にポインタの表示位置を移動させるためのリセット操作が可能なように構成されており、制御部は、リセット操作が行われたことに基づいて、ポインタ格納領域にポインタの表示位置を移動させるように構成されている。このように構成すれば、ユーザは操作部においてリセット操作を行うことによってポインタの表示位置をポインタ格納領域に移動させることができるので、操作中にポインタの表示位置を見失った場合においても、ユーザはポインタ格納領域に移動されたポインタの表示位置から操作を再開することができる。また、ポインタ格納領域を第１選択領域、第２選択領域および第３選択領域と重ならない位置に配置することによって、ポインタがポインタ格納領域に位置された場合に第１選択領域、第２選択領域および第３選択領域を選択するのを防止することができる。